【誤訳訂正書】
【提出日】令和2年2月14日(2020.2.14)
【誤訳訂正１】
【訂正対象書類名】特許請求の範囲
【訂正対象項目名】全文
【訂正方法】変更
【訂正の内容】
【特許請求の範囲】
【請求項１】
コンピュータ実装方法であって、
第1のユーザがオーディオコンテンツを録音することを意図することを示す入力を前記第1のユーザから受信したことに応答して、オーディオコンテンツの取り込みおよび記憶を行わせるステップと、
前記オーディオコンテンツに対する少なくとも1つの識別子を示す入力を前記第1のユーザから受信するステップと、
前記記憶されたオーディオコンテンツを前記少なくとも1つの識別子に関連付けるステップと、
後続のユーザから音声入力を受信するステップと、
前記音声入力の特性を分析するステップと、
前記音声入力が特定の特性を有するとの判定に応答して、前記音声入力に関する音声認識を前記少なくとも1つの識別子の認識の方へバイアスするステップであって、前記少なくとも1つの識別子が認識される尤度を増加させるように、音声テキスト変換モデルのまたは前記音声テキスト変換モデルによって生成される1つまたは複数の値を修正するステップを含み、前記特定の特性は、前記後続のユーザが前記第1のユーザと異なる誰かであることを示す、ステップと、
前記バイアスされた音声認識に基づいて前記音声入力内の前記少なくとも1つの識別子の存在を認識したことに応答して、前記記憶されたオーディオコンテンツの再生を引き起こすステップと
を含む、コンピュータ実装方法。
【請求項２】
前記バイアスされた音声認識が前記音声入力の非認識をもたらしたことに応答して、前記後続のユーザが前記記憶されたコンテンツの再生を引き起こすことを可能にするために前記後続のユーザへの選択可能なオプションの提供を引き起こすステップ
をさらに含む、請求項1に記載のコンピュータ実装方法。
【請求項３】
前記選択可能なオプションが前記少なくとも1つの識別子を含む、請求項2に記載のコンピュータ実装方法。
【請求項４】
前記選択可能なオプションがオーディオプロンプトである、請求項2に記載のコンピュータ実装方法。
【請求項５】
前記第1のユーザがオーディオコンテンツを録音することを意図することを示す前記入力を前記第1のユーザから受信したことに応答して、前記少なくとも1つの識別子を示す前記入力を提供することを前記第1のユーザに指示するプロンプトを前記第1のユーザに提供するステップ
をさらに含む、請求項1から4のいずれか一項に記載のコンピュータ実装方法。
【請求項６】
コンピュータ実装方法であって、
1つまたは複数の入力デバイスにおいて音声作動製品によって、ユーザから第1のコマンドを受信するステップであって、前記第1のコマンドは前記ユーザが叙述の可聴表現を録音することを望むことを前記音声作動製品に通知する、ステップと、
前記入力デバイスのうちの1つまたは複数において前記音声作動製品によって、前記ユーザから書誌入力を受信するステップであって、前記書誌入力は前記叙述に関連付けられた書誌情報を示す、ステップと、
音声入力デバイスを介して前記音声作動製品によって、前記ユーザが話す前記叙述の前記可聴表現を録音するステップと、
前記音声作動製品に利用可能なコンピュータメモリ内に、前記ユーザが話す前記叙述の前記録音済みの可聴表現を含むオーディオファイルを記憶するステップであって、前記オーディオファイルは前記書誌情報に少なくとも部分的に基づいて前記コンピュータメモリ内でインデックス付けされる、ステップと、
音声出力デバイスを介して前記音声作動製品によって、後続のユーザから前記入力デバイスのうちの1つまたは複数において受信された第2のコマンドに応答して前記オーディオファイルを表現するステップであって、前記第2のコマンドは前記書誌情報を示す情報を含む、ステップと
を含み、
前記第2のコマンドは、音声入力内に前記書誌情報を示す前記情報の存在を認識したことに応答して実行され、
前記音声入力内に前記書誌情報を示す前記情報の存在を認識することは、前記音声入力が特定の特性を有すると決定された場合に、前記音声入力に関する音声認識を前記書誌情報を示す前記情報の認識の方へバイアスすることを含み、前記特定の特性は、前記後続のユーザが前記ユーザと異なる誰かであることを示し、
前記音声入力を前記書誌情報を示す前記情報の認識の方へバイアスすることは、前記書誌情報を示す前記情報が認識される尤度を増加させるように、音声テキスト変換モデルのまたは前記音声テキスト変換モデルによって生成される1つまたは複数の値を修正することを含む、
コンピュータ実装方法。
【請求項７】
前記第1のコマンドは、前記音声入力デバイスを介して受信された発話を含む、請求項6に記載のコンピュータ実装方法。
【請求項８】
1つまたは複数の出力デバイスにおいて前記音声作動製品によって、前記叙述に関連付けられた前記書誌情報に対する請求を提供するステップをさらに含む、請求項6または7に記載のコンピュータ実装方法。
【請求項９】
前記書誌入力は、前記音声入力デバイスを介して受信された発話を含む、請求項6から8のいずれか一項に記載のコンピュータ実装方法。
【請求項１０】
前記第2のコマンドは、前記音声入力デバイスを介して受信された発話を含む、請求項6から9のいずれか一項に記載のコンピュータ実装方法。
【請求項１１】
前記叙述は既存の書物を含み、前記方法は、前記書誌情報をデータベース内の前記既存の書物と照合するステップをさらに含む、請求項6から10のいずれか一項に記載のコンピュータ実装方法。
【請求項１２】
前記出力デバイスのうちの1つまたは複数を介して前記音声作動製品によって、前記データベース内の前記既存の書物に関連付けられた付加情報を提供するステップをさらに含む、請求項11に記載のコンピュータ実装方法。
【請求項１３】
前記付加情報は、前記既存の書物を表す視覚的表現を含む、請求項12に記載のコンピュータ実装方法。
【請求項１４】
前記オーディオファイルは、前記データベース内の前記既存の書物に関連付けられた付加情報に基づいて前記コンピュータメモリ内でさらにインデックス付けされる、請求項11から13のいずれか一項に記載のコンピュータ実装方法。
【請求項１５】
前記コンピュータメモリは、対応する書誌情報によってインデックス付けされた複数の録音済みのオーディオファイルを記憶する、請求項6から14のいずれか一項に記載のコンピュータ実装方法。
【請求項１６】
前記複数のオーディオファイルは、それらを録音したユーザの識別情報によってさらにインデックス付けされる、請求項15に記載のコンピュータ実装方法。
【請求項１７】
前記音声作動製品によって前記オーディオファイル内に、前記ユーザによって選択された1つまたは複数の音響効果を組み込むステップをさらに含む、請求項6から16のいずれか一項に記載のコンピュータ実装方法。
【請求項１８】
前記第2のコマンドが前記ユーザと異なるユーザによって話されたことを判定するために前記第2のコマンドで音声分析を実行するステップをさらに含む、請求項6から17のいずれか一項に記載のコンピュータ実装方法。
【請求項１９】
前記音声作動製品によって、前記音声分析結果に基づいて前記異なるユーザ向けに手直しされたインタラクティブダイアログを開始するステップをさらに含む、請求項18に記載のコンピュータ実装方法。
【請求項２０】
音声対応デバイスであって、
1つまたは複数のプロセッサと、
前記1つまたは複数のプロセッサと動作可能に結合された1つまたは複数のスピーカーと、
前記1つまたは複数のプロセッサと動作可能に結合された1つまたは複数のマイクロホンと、
前記1つまたは複数のプロセッサと動作可能に結合されたメモリであって、前記メモリは命令を記憶し、前記命令は、前記1つまたは複数のプロセッサによる前記命令の実行に応答して、請求項6から19のいずれか一項に記載の方法を実行させる、メモリと
を備える、音声対応デバイス。